(57)【要約】【課題】無線通信システム内部のＭＥＣサーバがインターネットを利用する通信を行うことを、ＭＥＣサーバとインターネット間に専用回線を設けることなく実現する。【解決手段】所定の手順によりコア設備から端末アドレスを取得し、取得した端末アドレスをＭＥＣサーバへ通知する仮想ＵＥと、仮想ＵＥがコア設備から取得した端末アドレスに対応する通信識別情報を取得し、取得した通信識別情報をＭＥＣサーバへ通知する仮想基地局と、を備え、ＭＥＣサーバは、当該端末アドレスと当該通信識別情報とを使用して、コア設備を介して、インターネットを利用する通信を行う。【選択図】図１
2020167602.tif 000002
【特許請求の範囲】
【請求項１】
ユーザ端末と無線により接続される基地局と、
前記基地局を介して前記ユーザ端末と通信を行うコア設備と、
前記基地局を介して前記ユーザ端末と通信を行うサーバとを備える無線通信システムにおいて、
前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムであって、
ユーザ端末が前記コア設備から当該ユーザ端末の端末アドレスを通知してもらうときに実行する所定の手順により前記コア設備から端末アドレスを取得し、取得した端末アドレスを前記サーバへ通知するアドレス取得部と、
前記アドレス取得部が前記コア設備から取得した端末アドレスに対応する通信識別情報を取得し、取得した通信識別情報を前記サーバへ通知する通信識別情報取得部と、を備え、
前記サーバは、前記アドレス取得部から受信した端末アドレスと前記通信識別情報取得部から受信した通信識別情報とを使用して、前記コア設備を介して、前記無線通信システムの外部の通信ネットワークを利用する通信を行う、
無線通信システム。
【請求項２】
前記コア設備と前記基地局との間の通信は、ＧＴＰ（GPRS Tunnelling Protocol）により行われる通信であり、
前記端末アドレスは、ＩＰ（Internet Protocol）アドレスであり、
前記通信識別情報は、ＴＥＩＤ（Tunnel Endpoint Identifiers）であり、
前記サーバは、前記アドレス取得部から受信したＩＰアドレスと前記通信識別情報取得部から受信したＴＥＩＤとを使用して、ＧＴＰにより前記コア設備を介して、前記無線通信システムの外部の通信ネットワークを利用する通信を行う、
請求項１に記載の無線通信システム。
【請求項３】
前記アドレス取得部が前記コア設備から取得したＩＰアドレスが使用されるＩＰ通信において、前記アドレス取得部が使用するＴＣＰ／ＵＤＰ送信元ポート番号と前記サーバが使用するＴＣＰ／ＵＤＰ送信元ポート番号とが異なる、
請求項１又は２のいずれか１項に記載の無線通信システム。
【請求項４】
前記通信識別情報取得部は、前記基地局と前記コア設備との間で伝送される通信データから、前記アドレス取得部が前記コア設備から取得した端末アドレスに対応する通信識別情報を取得する、
請求項１から３のいずれか１項に記載の無線通信システム。
【請求項５】
前記サーバは、ＭＥＣ（Multi-access Edge Computing）サーバである、
請求項１から４のいずれか１項に記載の無線通信システム。
【請求項６】
ユーザ端末と無線により接続される基地局と、
前記基地局を介して前記ユーザ端末と通信を行うコア設備と、
前記基地局を介して前記ユーザ端末と通信を行うサーバとを備える無線通信システムにおいて、
前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムの前記サーバであって、
ユーザ端末が前記コア設備から当該ユーザ端末の端末アドレスを通知してもらうときに実行する所定の手順によりアドレス取得部が前記コア設備から取得した端末アドレスを前記アドレス取得部から受信するアドレス受信部と、
前記アドレス受信部が前記アドレス取得部から受信した端末アドレスに対応する通信識別情報を通信識別情報取得部から受信する通信識別情報受信部と、
前記アドレス取得部から受信した端末アドレスと前記通信識別情報取得部から受信した通信識別情報とを使用して、前記コア設備を介して、前記無線通信システムの外部の通信ネットワークを利用する通信を行う通信部と、
を備えるサーバ。
【請求項７】
ユーザ端末と無線により接続される基地局と、
前記基地局を介して前記ユーザ端末と通信を行うコア設備と、
前記基地局を介して前記ユーザ端末と通信を行うサーバとを備える無線通信システムにおいて、
前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムの前記サーバのコンピュータに、
ユーザ端末が前記コア設備から当該ユーザ端末の端末アドレスを通知してもらうときに実行する所定の手順によりアドレス取得部が前記コア設備から取得した端末アドレスを前記アドレス取得部から受信するアドレス受信ステップと、
前記アドレス受信ステップが前記アドレス取得部から受信した端末アドレスに対応する通信識別情報を通信識別情報取得部から受信する通信識別情報受信ステップと、
前記アドレス取得部から受信した端末アドレスと前記通信識別情報取得部から受信した通信識別情報とを使用して、前記コア設備を介して、前記無線通信システムの外部の通信ネットワークを利用する通信を行う通信ステップと、
を実行させるためのコンピュータプログラム。
【請求項８】
ユーザ端末と無線により接続される基地局と、
前記基地局を介して前記ユーザ端末と通信を行うコア設備と、
前記基地局を介して前記ユーザ端末と通信を行うサーバとを備える無線通信システムにおいて、
前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムのサーバ支援装置であって、
ユーザ端末が前記コア設備から当該ユーザ端末の端末アドレスを通知してもらうときに実行する所定の手順により前記コア設備から端末アドレスを取得し、取得した端末アドレスを前記サーバへ通知するアドレス取得部、
を備えるサーバ支援装置。
【請求項９】
前記コア設備と前記基地局との間の通信は、ＧＴＰ（GPRS Tunnelling Protocol）により行われる通信であり、
前記端末アドレスは、ＩＰ（Internet Protocol）アドレスであり、
前記通信識別情報は、ＴＥＩＤ（Tunnel Endpoint Identifiers）であり、
前記サーバは、前記アドレス取得部から受信したＩＰアドレスと通信識別情報取得部から受信したＴＥＩＤとを使用して、ＧＴＰにより前記コア設備を介して、前記無線通信システムの外部の通信ネットワークを利用する通信を行い、
前記サーバ支援装置は、前記アドレス取得部が前記コア設備から取得したＩＰアドレスが使用されるＩＰ通信に使用されるＴＣＰ／ＵＤＰ送信元ポート番号を管理するポート番号管理部をさらに備え、
前記ポート番号管理部は、前記アドレス取得部が前記コア設備から取得したＩＰアドレスが使用されるＩＰ通信において、前記アドレス取得部が使用するＴＣＰ／ＵＤＰ送信元ポート番号と前記サーバが使用するＴＣＰ／ＵＤＰ送信元ポート番号とを異なるものにする、
請求項８に記載のサーバ支援装置。
【請求項１０】
ユーザ端末と無線により接続される基地局と、
前記基地局を介して前記ユーザ端末と通信を行うコア設備と、
前記基地局を介して前記ユーザ端末と通信を行うサーバとを備える無線通信システムにおいて、
前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムのサーバ支援装置のコンピュータに、
ユーザ端末が前記コア設備から当該ユーザ端末の端末アドレスを通知してもらうときに実行する所定の手順により前記コア設備から端末アドレスを取得し、取得した端末アドレスを前記サーバへ通知するアドレス取得ステップ、
を実行させるためのコンピュータプログラム。
【請求項１１】
ユーザ端末と無線により接続される基地局と、
前記基地局を介して前記ユーザ端末と通信を行うコア設備と、
前記基地局を介して前記ユーザ端末と通信を行うサーバとを備える無線通信システムにおいて、
前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムのサーバ支援装置であって、
ユーザ端末が前記コア設備から当該ユーザ端末の端末アドレスを通知してもらうときに実行する所定の手順によりアドレス取得部が前記コア設備から取得した端末アドレスに対応する通信識別情報を取得し、取得した通信識別情報を前記サーバへ通知する通信識別情報取得部、
を備えるサーバ支援装置。
【請求項１２】
前記通信識別情報取得部は、前記基地局と前記コア設備との間で伝送される通信データから、前記アドレス取得部が前記コア設備から取得した端末アドレスに対応する通信識別情報を取得する、
請求項１１に記載のサーバ支援装置。
【請求項１３】
ユーザ端末と無線により接続される基地局と、
前記基地局を介して前記ユーザ端末と通信を行うコア設備と、
前記基地局を介して前記ユーザ端末と通信を行うサーバとを備える無線通信システムにおいて、
前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムのサーバ支援装置のコンピュータに、
ユーザ端末が前記コア設備から当該ユーザ端末の端末アドレスを通知してもらうときに実行する所定の手順によりアドレス取得部が前記コア設備から取得した端末アドレスに対応する通信識別情報を取得し、取得した通信識別情報を前記サーバへ通知する通信識別情報取得ステップ、
を実行させるためのコンピュータプログラム。
【請求項１４】
ユーザ端末と無線により接続される基地局と、
前記基地局を介して前記ユーザ端末と通信を行うコア設備と、
前記基地局を介して前記ユーザ端末と通信を行うサーバとを備える無線通信システムにおいて、
前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムの通信方法であって、
アドレス取得部が、ユーザ端末が前記コア設備から当該ユーザ端末の端末アドレスを通知してもらうときに実行する所定の手順により前記コア設備から端末アドレスを取得し、取得した端末アドレスを前記サーバへ通知するアドレス取得ステップと、
通信識別情報取得部が、前記アドレス取得部が前記コア設備から取得した端末アドレスに対応する通信識別情報を取得し、取得した通信識別情報を前記サーバへ通知する通信識別情報取得ステップと、
前記サーバが、前記アドレス取得部から受信した端末アドレスと前記通信識別情報取得部から受信した通信識別情報とを使用して、前記コア設備を介して、前記無線通信システムの外部の通信ネットワークを利用する通信を行う通信ステップと、
を含む通信方法。
【発明の詳細な説明】
【技術分野】
【０００１】
本発明は、無線通信システム、サーバ、サーバ支援装置、コンピュータプログラム及び通信方法に関する。
【背景技術】
【０００２】
従来、移動通信網（Mobile Network）において、ユーザ端末（User Equipment：ＵＥ）により近い場所でアプリケーション等のサービスをＵＥに提供するためのＭＥＣ（Multi-access Edge Computing）技術が知られている（例えば、非特許文献１参照）。非特許文献１には、ＥＴＳＩ（European Telecommunications Standards Institute）によるＭＥＣ標準化技術が開示されている。
【先行技術文献】
【非特許文献】
【０００３】
【非特許文献１】ETSI White Paper No. 24、“MEC Deployments in 4G and Evolution Towards 5G”、［平成３１年３月１３日検索］、インターネット＜ＵＲＬ：https://www.etsi.org/images/files/ETSIWhitePapers/etsi_wp24_MEC_deployment_in_4G_5G_FINAL.pdf＞
【発明の概要】
【発明が解決しようとする課題】
【０００４】
しかし、上述した従来のＭＥＣ標準化技術の「Bump in the wire」方式において、ＭＥＣサーバは移動通信網の内部に配置されるが、ＭＥＣサーバが移動通信網の外部のインターネット等の通信ネットワークを利用する通信を行うことが難しい場合があった。この理由は、移動通信網の内部と外部との間の通信を中継する移動通信網の内部のコア設備が、ＭＥＣサーバとの認証及び接続を行う機能を有していないために、ＭＥＣサーバがコア設備を介して移動通信網の外部の通信ネットワークを利用する通信を行うことができないからである。この問題の解決方法として、ＭＥＣサーバと移動通信網の外部の通信ネットワーク例えばインターネットとの間を専用回線で接続することにより、ＭＥＣサーバがコア設備を介さずにインターネットを利用する通信を行うことはできる。しかしながら、当該専用回線を設けることにより、コストアップや運用形態の複雑化等の新たな問題が生じる可能性があった。
【０００５】
本発明は、このような事情を考慮してなされたものであり、その目的は、無線通信システムの内部のＭＥＣサーバ等のサーバが当該無線通信システムの外部のインターネット等の通信ネットワークを利用する通信を行うことを、当該サーバと当該外部の通信ネットワークとの間に専用回線を設けることなく実現することを図ることにある。
【課題を解決するための手段】
【０００６】
（１）本発明の一態様は、ユーザ端末と無線により接続される基地局と、前記基地局を介して前記ユーザ端末と通信を行うコア設備と、前記基地局を介して前記ユーザ端末と通信を行うサーバとを備える無線通信システムにおいて、前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムであって、ユーザ端末が前記コア設備から当該ユーザ端末の端末アドレスを通知してもらうときに実行する所定の手順により前記コア設備から端末アドレスを取得し、取得した端末アドレスを前記サーバへ通知するアドレス取得部と、前記アドレス取得部が前記コア設備から取得した端末アドレスに対応する通信識別情報を取得し、取得した通信識別情報を前記サーバへ通知する通信識別情報取得部と、を備え、前記サーバは、前記アドレス取得部から受信した端末アドレスと前記通信識別情報取得部から受信した通信識別情報とを使用して、前記コア設備を介して、前記無線通信システムの外部の通信ネットワークを利用する通信を行う、無線通信システムである。
（２）本発明の一態様は、前記コア設備と前記基地局との間の通信は、ＧＴＰ（GPRS Tunnelling Protocol）により行われる通信であり、前記端末アドレスは、ＩＰ（Internet Protocol）アドレスであり、前記通信識別情報は、ＴＥＩＤ（Tunnel Endpoint Identifiers）であり、前記サーバは、前記アドレス取得部から受信したＩＰアドレスと前記通信識別情報取得部から受信したＴＥＩＤとを使用して、ＧＴＰにより前記コア設備を介して、前記無線通信システムの外部の通信ネットワークを利用する通信を行う、上記（１）の無線通信システムである。
（３）本発明の一態様は、前記アドレス取得部が前記コア設備から取得したＩＰアドレスが使用されるＩＰ通信において、前記アドレス取得部が使用するＴＣＰ／ＵＤＰ送信元ポート番号と前記サーバが使用するＴＣＰ／ＵＤＰ送信元ポート番号とが異なる、上記（１）又は（２）のいずれかの無線通信システムである。
（４）本発明の一態様は、前記通信識別情報取得部は、前記基地局と前記コア設備との間で伝送される通信データから、前記アドレス取得部が前記コア設備から取得した端末アドレスに対応する通信識別情報を取得する、上記（１）から（３）のいずれかの無線通信システムである。
（５）本発明の一態様は、前記サーバは、ＭＥＣ（Multi-access Edge Computing）サーバである、上記（１）から（４）のいずれかの無線通信システムである。
【０００７】
（６）本発明の一態様は、ユーザ端末と無線により接続される基地局と、前記基地局を介して前記ユーザ端末と通信を行うコア設備と、前記基地局を介して前記ユーザ端末と通信を行うサーバとを備える無線通信システムにおいて、前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムの前記サーバであって、ユーザ端末が前記コア設備から当該ユーザ端末の端末アドレスを通知してもらうときに実行する所定の手順によりアドレス取得部が前記コア設備から取得した端末アドレスを前記アドレス取得部から受信するアドレス受信部と、前記アドレス受信部が前記アドレス取得部から受信した端末アドレスに対応する通信識別情報を通信識別情報取得部から受信する通信識別情報受信部と、前記アドレス取得部から受信した端末アドレスと前記通信識別情報取得部から受信した通信識別情報とを使用して、前記コア設備を介して、前記無線通信システムの外部の通信ネットワークを利用する通信を行う通信部と、を備えるサーバである。
（７）本発明の一態様は、ユーザ端末と無線により接続される基地局と、前記基地局を介して前記ユーザ端末と通信を行うコア設備と、前記基地局を介して前記ユーザ端末と通信を行うサーバとを備える無線通信システムにおいて、前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムの前記サーバのコンピュータに、ユーザ端末が前記コア設備から当該ユーザ端末の端末アドレスを通知してもらうときに実行する所定の手順によりアドレス取得部が前記コア設備から取得した端末アドレスを前記アドレス取得部から受信するアドレス受信ステップと、前記アドレス受信ステップが前記アドレス取得部から受信した端末アドレスに対応する通信識別情報を通信識別情報取得部から受信する通信識別情報受信ステップと、前記アドレス取得部から受信した端末アドレスと前記通信識別情報取得部から受信した通信識別情報とを使用して、前記コア設備を介して、前記無線通信システムの外部の通信ネットワークを利用する通信を行う通信ステップと、を実行させるためのコンピュータプログラムである。
【０００８】
（８）本発明の一態様は、ユーザ端末と無線により接続される基地局と、前記基地局を介して前記ユーザ端末と通信を行うコア設備と、前記基地局を介して前記ユーザ端末と通信を行うサーバとを備える無線通信システムにおいて、前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムのサーバ支援装置であって、ユーザ端末が前記コア設備から当該ユーザ端末の端末アドレスを通知してもらうときに実行する所定の手順により前記コア設備から端末アドレスを取得し、取得した端末アドレスを前記サーバへ通知するアドレス取得部、を備えるサーバ支援装置である。
（９）本発明の一態様は、前記コア設備と前記基地局との間の通信は、ＧＴＰ（GPRS Tunnelling Protocol）により行われる通信であり、前記端末アドレスは、ＩＰ（Internet Protocol）アドレスであり、前記通信識別情報は、ＴＥＩＤ（Tunnel Endpoint Identifiers）であり、前記サーバは、前記アドレス取得部から受信したＩＰアドレスと通信識別情報取得部から受信したＴＥＩＤとを使用して、ＧＴＰにより前記コア設備を介して、前記無線通信システムの外部の通信ネットワークを利用する通信を行い、前記サーバ支援装置は、前記アドレス取得部が前記コア設備から取得したＩＰアドレスが使用されるＩＰ通信に使用されるＴＣＰ／ＵＤＰ送信元ポート番号を管理するポート番号管理部をさらに備え、前記ポート番号管理部は、前記アドレス取得部が前記コア設備から取得したＩＰアドレスが使用されるＩＰ通信において、前記アドレス取得部が使用するＴＣＰ／ＵＤＰ送信元ポート番号と前記サーバが使用するＴＣＰ／ＵＤＰ送信元ポート番号とを異なるものにする、上記（８）のサーバ支援装置である。
（１０）本発明の一態様は、ユーザ端末と無線により接続される基地局と、前記基地局を介して前記ユーザ端末と通信を行うコア設備と、前記基地局を介して前記ユーザ端末と通信を行うサーバとを備える無線通信システムにおいて、前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムのサーバ支援装置のコンピュータに、ユーザ端末が前記コア設備から当該ユーザ端末の端末アドレスを通知してもらうときに実行する所定の手順により前記コア設備から端末アドレスを取得し、取得した端末アドレスを前記サーバへ通知するアドレス取得ステップ、を実行させるためのコンピュータプログラムである。
【０００９】
（１１）本発明の一態様は、ユーザ端末と無線により接続される基地局と、前記基地局を介して前記ユーザ端末と通信を行うコア設備と、前記基地局を介して前記ユーザ端末と通信を行うサーバとを備える無線通信システムにおいて、前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムのサーバ支援装置であって、ユーザ端末が前記コア設備から当該ユーザ端末の端末アドレスを通知してもらうときに実行する所定の手順によりアドレス取得部が前記コア設備から取得した端末アドレスに対応する通信識別情報を取得し、取得した通信識別情報を前記サーバへ通知する通信識別情報取得部、を備えるサーバ支援装置である。
（１２）本発明の一態様は、前記通信識別情報取得部は、前記基地局と前記コア設備との間で伝送される通信データから、前記アドレス取得部が前記コア設備から取得した端末アドレスに対応する通信識別情報を取得する、上記（１１）のサーバ支援装置である。
（１３）本発明の一態様は、ユーザ端末と無線により接続される基地局と、前記基地局を介して前記ユーザ端末と通信を行うコア設備と、前記基地局を介して前記ユーザ端末と通信を行うサーバとを備える無線通信システムにおいて、前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムのサーバ支援装置のコンピュータに、ユーザ端末が前記コア設備から当該ユーザ端末の端末アドレスを通知してもらうときに実行する所定の手順によりアドレス取得部が前記コア設備から取得した端末アドレスに対応する通信識別情報を取得し、取得した通信識別情報を前記サーバへ通知する通信識別情報取得ステップ、を実行させるためのコンピュータプログラムである。
【００１０】
（１４）本発明の一態様は、ユーザ端末と無線により接続される基地局と、前記基地局を介して前記ユーザ端末と通信を行うコア設備と、前記基地局を介して前記ユーザ端末と通信を行うサーバとを備える無線通信システムにおいて、前記コア設備は、前記ユーザ端末に通知した当該ユーザ端末の端末アドレスと、前記端末アドレスに対応する通信識別情報であって前記基地局に通知した前記通信識別情報とに基づいて、前記ユーザ端末と前記無線通信システムの外部の通信ネットワークとの間の通信を中継する、前記無線通信システムの通信方法であって、アドレス取得部が、ユーザ端末が前記コア設備から当該ユーザ端末の端末アドレスを通知してもらうときに実行する所定の手順により前記コア設備から端末アドレスを取得し、取得した端末アドレスを前記サーバへ通知するアドレス取得ステップと、通信識別情報取得部が、前記アドレス取得部が前記コア設備から取得した端末アドレスに対応する通信識別情報を取得し、取得した通信識別情報を前記サーバへ通知する通信識別情報取得ステップと、前記サーバが、前記アドレス取得部から受信した端末アドレスと前記通信識別情報取得部から受信した通信識別情報とを使用して、前記コア設備を介して、前記無線通信システムの外部の通信ネットワークを利用する通信を行う通信ステップと、を含む通信方法である。
【発明の効果】
【００１１】
本発明によれば、無線通信システムの内部のＭＥＣサーバ等のサーバが当該無線通信システムの外部のインターネット等の通信ネットワークを利用する通信を行うことを、当該サーバと当該外部の通信ネットワークとの間に専用回線を設けることなく実現することができるという効果が得られる。
【図面の簡単な説明】
【００１２】
【図１】一実施形態に係る無線通信システムの構成例を示すブロック図である。
【図２】一実施形態に係るＭＥＣサーバの構成例を示すブロック図である。
【図３】一実施形態に係る仮想ＵＥの構成例を示すブロック図である。
【図４】一実施形態に係る仮想基地局の構成例を示すブロック図である。
【図５】一実施形態に係る通信方法の手順の例を示すシーケンス図である。
【図６】一実施形態に係る無線通信システムの構成例を示すブロック図である。
【図７】一実施形態に係る通信方法の手順の例を示すシーケンス図である。
【発明を実施するための形態】
【００１３】
以下、図面を参照し、本発明の実施形態について説明する。
【００１４】
［第１実施形態］
図１は、第１実施形態に係る無線通信システムの構成例を示すブロック図である。図１に示される無線通信システム１は、移動通信網（Mobile Network）を実現するものである。無線通信システム１は、基地局３と、パケットフィルタリング装置４と、コア設備５と、ＭＥＣ（Multi-access Edge Computing）システム１０と、を備える。ＭＥＣシステム１０は、ＭＥＣサーバ２０と、仮想ユーザ端末（仮想ＵＥ）３０と、仮想基地局４０とを備える。
【００１５】
無線通信システム１は、自己の外部の通信ネットワークに接続される。本実施形態では、無線通信システム１の外部の通信ネットワークとして、インターネット（Internet）１００を例に挙げて説明する。無線通信システム１はインターネット１００に接続される。
【００１６】
無線通信システム１において、基地局３は、ＵＥ２と無線により接続される。パケットフィルタリング装置４は、基地局３とコア設備５とＭＥＣシステム１０の間に設けられる。パケットフィルタリング装置４は、通信データを転送する通信データ転送機能を有する。パケットフィルタリング装置４は、基地局３とコア設備５の間で伝送される通信データからＭＥＣシステム１０に転送する通信データを抽出してＭＥＣシステム１０へ転送する。また、パケットフィルタリング装置４は、ＭＥＣシステム１０から送信された通信データを、基地局３又はコア設備５へ転送する。
【００１７】
コア設備５は、無線通信システム１の内部と外部との間の通信を中継する機能を有する。図１の例では、コア設備５は、無線通信システム１の内部とインターネット１００との間の通信を中継する。コア設備５は、基地局３を介してＵＥ２と通信を行う。コア設備５は、ＵＥとの認証及び接続を行う機能を有する。ＵＥ２は、コア設備５に対して所定の認証及び接続の手順（以下、ＵＥ認証接続手順と称する）を実行してコア設備５と接続することにより、コア設備５を介して、インターネット１００を利用する通信を行うことができる。ＵＥ認証接続手順は、３ＧＰＰ（3rd Generation Partnership Project）で規定される既知の手順である。
【００１８】
本実施形態では、コア設備５と基地局３との間の通信として、ＧＴＰ（GPRS Tunnelling Protocol）により行われるＧＴＰ通信を例に挙げて説明する。ユーザプレーン（User plane）の通信は、ＧＴＰ−Ｕ（GTP-User plane）における通信（ＧＴＰ−Ｕ通信）である。ＵＥ２は、コア設備５に対してＵＥ認証接続手順を実行する。コア設備５は、当該ＵＥ２のＵＥ認証接続手順に対応する認証及び接続の手順により、当該ＵＥ２の端末アドレスであるＩＰ（Internet Protocol）アドレス（以下、端末ＩＰアドレスと称する）を当該ＵＥ２へ通知する。また、当該ＵＥ２の端末ＩＰアドレスに対応する「ＧＴＰ−Ｕ  ＴＥＩＤ（Tunnel Endpoint Identifiers）」を、当該ＵＥ２が接続する基地局３へ通知する。本実施形態において、ＴＥＩＤは通信識別情報に対応する。
【００１９】
ＵＥ２は、コア設備５から受信した端末ＩＰアドレスを送信元アドレスに使用したＩＰ通信を行う。このＵＥ２のＩＰ通信のＩＰパケットは、基地局３がコア設備５から受信した「ＧＴＰ−Ｕ  ＴＥＩＤ」を使用したＧＴＰ−Ｕ通信によって、基地局３とコア設備５との間で転送される。コア設備５は、当該ＧＴＰ−Ｕ通信によって基地局３との間で転送されるインターネット１００向けのＵＥ２のＩＰ通信のＩＰパケットを、インターネット１００に中継する。これにより、ＵＥ２は、コア設備５を介して、インターネット１００を利用する通信を行うことができる。
【００２０】
ＭＥＣシステム１０において、仮想ＵＥ３０は仮想基地局４０に接続される。仮想基地局４０はパケットフィルタリング装置４に接続される。ＭＥＣサーバ２０はパケットフィルタリング装置４に接続される。
【００２１】
ＭＥＣサーバ２０は、基地局３を介してＵＥ２と通信を行う。また、ＭＥＣサーバ２０は、仮想基地局４０を介して仮想ＵＥ３０と通信を行う。仮想ＵＥ３０は、仮想基地局４０を介してコア設備５と通信を行う。仮想ＵＥ３０及び仮想基地局４０は、ＭＥＣサーバ２０がインターネット１００を利用する通信を行うための支援を行う装置である。本実施形態において、仮想ＵＥ３０及び仮想基地局４０は、サーバ支援装置に対応する。
【００２２】
仮想ＵＥ３０は、ＵＥがコア設備５から当該ＵＥの端末ＩＰアドレスを通知してもらうときに実行するＵＥ認証接続手順によりコア設備５から端末ＩＰアドレスを取得し、取得した端末ＩＰアドレスをＭＥＣサーバ２０へ通知する。
【００２３】
仮想基地局４０は、仮想ＵＥ３０がコア設備５から取得した端末ＩＰアドレスに対応する「ＧＴＰ−Ｕ  ＴＥＩＤ」を取得し、取得した「ＧＴＰ−Ｕ  ＴＥＩＤ」をＭＥＣサーバ２０へ通知する。本実施形態では、仮想ＵＥ３０がＵＥ認証接続手順によりコア設備５から端末ＩＰアドレスを取得する際に、当該端末ＩＰアドレスに対応する「ＧＴＰ−Ｕ  ＴＥＩＤ」がコア設備５から仮想基地局４０へ通知されることによって、仮想基地局４０は当該「ＧＴＰ−Ｕ  ＴＥＩＤ」を取得する。
【００２４】
ＭＥＣサーバ２０は、仮想ＵＥ３０から受信した端末ＩＰアドレスと仮想基地局４０から受信した「ＧＴＰ−Ｕ  ＴＥＩＤ」とを使用して、ＧＴＰによりコア設備５を介して、インターネット１００を利用する通信を行う。具体的には、ＭＥＣサーバ２０は、仮想ＵＥ３０から受信した端末ＩＰアドレスを送信元アドレスに使用したＩＰ通信のＩＰパケットを、仮想基地局４０から受信した「ＧＴＰ−Ｕ  ＴＥＩＤ」を使用したＧＴＰ−Ｕ通信によって、自ＭＥＣサーバ２０とコア設備５との間で転送する。コア設備５は、当該ＧＴＰ−Ｕ通信によってＭＥＣサーバ２０との間で転送されるインターネット１００向けのＭＥＣサーバ２０のＩＰ通信のＩＰパケットを、インターネット１００に中継する。これにより、ＭＥＣサーバ２０は、コア設備５を介して、インターネット１００を利用する通信を行うことができる。
【００２５】
図２は、第１実施形態に係るＭＥＣサーバの構成例を示すブロック図である。図２において、ＭＥＣサーバ２０は、アドレス受信部２１と、ＴＥＩＤ受信部２２と、通信部２３とを備える。
【００２６】
アドレス受信部２１は、仮想ＵＥ３０から端末ＩＰアドレスを受信する。この端末ＩＰアドレスは、仮想ＵＥ３０がＵＥ認証接続手順によりコア設備５から取得した端末ＩＰアドレスである。
【００２７】
ＴＥＩＤ受信部２２は、仮想基地局４０から「ＧＴＰ−Ｕ  ＴＥＩＤ」を受信する。この「ＧＴＰ−Ｕ  ＴＥＩＤ」は、アドレス受信部２１が仮想ＵＥ３０から受信した端末ＩＰアドレスに対応する「ＧＴＰ−Ｕ  ＴＥＩＤ」である。
【００２８】
通信部２３は、仮想ＵＥ３０から受信した端末ＩＰアドレスと仮想基地局４０から受信した「ＧＴＰ−Ｕ  ＴＥＩＤ」とを使用して、ＧＴＰによりコア設備５を介して、インターネット１００を利用する通信を行う。具体的には、通信部２３は、仮想ＵＥ３０から受信した端末ＩＰアドレスを送信元アドレスに使用したＩＰ通信のＩＰパケットを、仮想基地局４０から受信した「ＧＴＰ−Ｕ  ＴＥＩＤ」を使用したＧＴＰ−Ｕ通信によって、自ＭＥＣサーバ２０とコア設備５との間で転送する。コア設備５は、当該ＧＴＰ−Ｕ通信によってＭＥＣサーバ２０との間で転送されるインターネット１００向けのＭＥＣサーバ２０のＩＰ通信のＩＰパケットを、インターネット１００に中継する。これにより、ＭＥＣサーバ２０は、コア設備５を介して、インターネット１００を利用する通信を行うことができる。
【００２９】
ＭＥＣサーバ２０の機能は、ＭＥＣサーバ２０がＣＰＵ（Central Processing Unit：中央演算処理装置）及びメモリ等のコンピュータハードウェアを備え、ＣＰＵがメモリに格納されたコンピュータプログラムを実行することにより実現される。なお、ＭＥＣサーバ２０として、汎用のコンピュータ装置を使用して構成してもよく、又は、専用のハードウェア装置として構成してもよい。又は、ＭＥＣサーバ２０は、ＭＥＣシステム１０が備えるコンピュータハードウェア上に構成された仮想マシン（virtual machine：ＶＭ）を利用して実現されてもよい。例えば、ＭＥＣシステム１０が複数のコンピュータ装置を有するブレードサーバ装置を備え、当該ブレードサーバ装置のいずれかのコンピュータ装置により構成された仮想マシン上でＭＥＣサーバ２０の機能を実現するサーバアプリケーションを実行することによって、ＭＥＣサーバ２０の機能が実現されてもよい。
【００３０】
図３は、第１実施形態に係る仮想ＵＥ（サーバ支援装置）の構成例を示すブロック図である。図３において、仮想ＵＥ３０は、アドレス取得部３１と、ポート番号管理部３２とを備える。
【００３１】
アドレス取得部３１は、ＵＥがコア設備５から当該ＵＥの端末ＩＰアドレスを通知してもらうときに実行するＵＥ認証接続手順によりコア設備５から端末ＩＰアドレスを取得し、取得した端末ＩＰアドレスをＭＥＣサーバ２０へ通知する。
【００３２】
ポート番号管理部３２は、アドレス取得部３１がコア設備５から取得した端末ＩＰアドレスが使用されるＩＰ通信に使用されるＴＣＰ（Transmission Control Protocol）又はＵＤＰ（User Datagram Protocol）の送信元ポート番号（以下、ＴＣＰ／ＵＤＰ送信元ポート番号と称する）を管理する。
【００３３】
ポート番号管理部３２は、アドレス取得部３１がコア設備５から取得した端末ＩＰアドレスが使用されるＩＰ通信において、アドレス取得部３１が使用するＴＣＰ／ＵＤＰ送信元ポート番号とＭＥＣサーバ２０が使用するＴＣＰ／ＵＤＰ送信元ポート番号とを異なるものにする。アドレス取得部３１のＴＣＰ／ＵＤＰ送信元ポート番号とＭＥＣサーバ２０のＴＣＰ／ＵＤＰ送信元ポート番号とが異なることにより、アドレス取得部３１とＭＥＣサーバ２０とがそれぞれに同じ端末ＩＰアドレスを使用するＩＰ通信を行っても、アドレス取得部３１のＩＰ通信とＭＥＣサーバ２０のＩＰ通信とをＴＣＰ／ＵＤＰ送信元ポート番号によって識別することができる。
【００３４】
ポート番号管理部３２は、複数のＭＥＣサーバ２０が設けられる場合、各ＭＥＣサーバ２０に割り当てるＴＣＰ／ＵＤＰ送信元ポート番号を管理する。具体的には、各ＭＥＣサーバ２０に対して、アドレス取得部３１のＴＣＰ／ＵＤＰ送信元ポート番号とは異なるＴＣＰ／ＵＤＰ送信元ポート番号であって、ＭＥＣサーバ２０ごとに異なるＴＣＰ／ＵＤＰ送信元ポート番号を割り当てる。また、ＭＥＣサーバ２０が増設された場合には、新規のＭＥＣサーバ２０に対して、アドレス取得部３１のＴＣＰ／ＵＤＰ送信元ポート番号とは異なる新規のＴＣＰ／ＵＤＰ送信元ポート番号を割り当てる。また、ＭＥＣサーバ２０が減設された場合には、当該ＭＥＣサーバ２０に割り当てていたＴＣＰ／ＵＤＰ送信元ポート番号を未使用のＴＣＰ／ＵＤＰ送信元ポート番号に設定する。
【００３５】
仮想ＵＥ３０の機能は、仮想ＵＥ３０がＣＰＵ及びメモリ等のコンピュータハードウェアを備え、ＣＰＵがメモリに格納されたコンピュータプログラムを実行することにより実現される。なお、仮想ＵＥ３０として、汎用のコンピュータ装置を使用して構成してもよく、又は、専用のハードウェア装置として構成してもよい。又は、仮想ＵＥ３０は、ＭＥＣシステム１０が備えるコンピュータハードウェア上に構成された仮想マシン（ＶＭ）を利用して実現されてもよい。例えば、ＭＥＣシステム１０が複数のコンピュータ装置を有するブレードサーバ装置を備え、当該ブレードサーバ装置のいずれかのコンピュータ装置により構成された仮想マシン上で仮想ＵＥ３０の機能を実現するアプリケーションを実行することによって、仮想ＵＥ３０の機能が実現されてもよい。
【００３６】
図４は、第１実施形態に係る仮想基地局（サーバ支援装置）の構成例を示すブロック図である。図４において、仮想基地局４０は、ＴＥＩＤ取得部４１を備える。
【００３７】
ＴＥＩＤ取得部４１は、仮想ＵＥ３０がコア設備５から取得した端末ＩＰアドレスに対応する「ＧＴＰ−Ｕ  ＴＥＩＤ」を取得し、取得した「ＧＴＰ−Ｕ  ＴＥＩＤ」をＭＥＣサーバ２０へ通知する。具体的には、ＴＥＩＤ取得部４１は、仮想ＵＥ３０がＵＥ認証接続手順によりコア設備５から端末ＩＰアドレスを取得する際に、当該端末ＩＰアドレスに対応する「ＧＴＰ−Ｕ  ＴＥＩＤ」がコア設備５から仮想基地局４０へ通知されることによって、ＴＥＩＤ取得部４１は当該「ＧＴＰ−Ｕ  ＴＥＩＤ」を取得する。
【００３８】
仮想基地局４０の機能は、仮想基地局４０がＣＰＵ及びメモリ等のコンピュータハードウェアを備え、ＣＰＵがメモリに格納されたコンピュータプログラムを実行することにより実現される。なお、仮想基地局４０として、汎用のコンピュータ装置を使用して構成してもよく、又は、専用のハードウェア装置として構成してもよい。又は、仮想基地局４０は、ＭＥＣシステム１０が備えるコンピュータハードウェア上に構成された仮想マシン（ＶＭ）を利用して実現されてもよい。例えば、ＭＥＣシステム１０が複数のコンピュータ装置を有するブレードサーバ装置を備え、当該ブレードサーバ装置のいずれかのコンピュータ装置により構成された仮想マシン上で仮想基地局４０の機能を実現するアプリケーションを実行することによって、仮想基地局４０の機能が実現されてもよい。
【００３９】
次に図５を参照して、第１実施形態に係る通信方法を説明する。図５は、第１実施形態に係る通信方法の手順の例を示すシーケンス図である。
【００４０】
（ステップＳ１）  パケットフィルタリング装置４は、自己の通信データ転送機能に対して、自己が受信した通信データのうち仮想基地局４０のＩＰアドレス宛ての通信データを仮想基地局４０向けの通信回線へ転送する設定を行う。これにより、仮想基地局４０とコア設備５との間の通信が可能になる。
【００４１】
（ステップＳ２）  仮想ＵＥ３０は、仮想基地局４０に接続する。仮想ＵＥ３０のアドレス取得部３１は、仮想基地局４０を介して、コア設備５に対してＵＥ認証接続手順を実行することによりコア設備５から端末ＩＰアドレスを取得する。アドレス取得部３１は、当該端末ＩＰアドレスを記録する。仮想ＵＥ３０がＵＥ認証接続手順によりコア設備５から取得した端末ＩＰアドレスに対応する「ＧＴＰ−Ｕ  ＴＥＩＤ」は、コア設備５から仮想基地局４０へ通知される。仮想基地局４０のＴＥＩＤ取得部４１は、コア設備５から仮想基地局４０に通知された「ＧＴＰ−Ｕ  ＴＥＩＤ」を取得する。仮想基地局４０は、仮想ＵＥ３０の端末ＩＰアドレスと当該端末ＩＰアドレスに対応する「ＧＴＰ−Ｕ  ＴＥＩＤ」とを関連付けて記録する。
【００４２】
（ステップＳ３）  仮想ＵＥ３０のアドレス取得部３１は、コア設備５から取得した端末ＩＰアドレスをＭＥＣサーバ２０へ通知する。ＭＥＣサーバ２０のアドレス受信部２１は、仮想ＵＥ３０から端末ＩＰアドレスを受信する。ＭＥＣサーバ２０において、アドレス受信部２１は、仮想ＵＥ３０から受信した端末ＩＰアドレスを通信部２３へ通知する。通信部２３は、アドレス受信部２１から受信した端末ＩＰアドレスを記録する。
【００４３】
（ステップＳ４）  仮想基地局４０のＴＥＩＤ取得部４１は、コア設備５から取得した「ＧＴＰ−Ｕ  ＴＥＩＤ」をＭＥＣサーバ２０へ通知する。ＭＥＣサーバ２０のＴＥＩＤ受信部２２は、仮想基地局４０から「ＧＴＰ−Ｕ  ＴＥＩＤ」を受信する。ＭＥＣサーバ２０において、ＴＥＩＤ受信部２２は、仮想基地局４０から受信した「ＧＴＰ−Ｕ  ＴＥＩＤ」を通信部２３へ通知する。通信部２３は、ＴＥＩＤ受信部２２から受信した「ＧＴＰ−Ｕ  ＴＥＩＤ」を記録する。
【００４４】
（ステップＳ５）  仮想ＵＥ３０のポート番号管理部３２は、アドレス取得部３１がコア設備５から取得した端末ＩＰアドレスが使用されるＩＰ通信においてＭＥＣサーバ２０が使用するＴＣＰ／ＵＤＰ送信元ポート番号を割り当てる。この割り当てられたＴＣＰ／ＵＤＰ送信元ポート番号は、インターネット１００を利用する通信において利用することができるものである。ポート番号管理部３２は、ＭＥＣサーバ２０に割り当てたＴＣＰ／ＵＤＰ送信元ポート番号を記録する。ポート番号管理部３２は、ＭＥＣサーバ２０に割り当てたＴＣＰ／ＵＤＰ送信元ポート番号を、ＭＥＣサーバ２０へ通知する。ＭＥＣサーバ２０の通信部２３は、仮想ＵＥ３０から受信したＴＣＰ／ＵＤＰ送信元ポート番号を記録する。
【００４５】
（ステップＳ６）  ＭＥＣサーバ２０の通信部２３は、上記ステップＳ３，Ｓ４，Ｓ５で各々受信して記録した端末ＩＰアドレスと「ＧＴＰ−Ｕ  ＴＥＩＤ」とＴＣＰ／ＵＤＰ送信元ポート番号とをパケットフィルタリング装置４へ通知する。
【００４６】
（ステップＳ７）  パケットフィルタリング装置４は、ＭＥＣサーバ２０から受信した端末ＩＰアドレス（以下、ＭＥＣ端末ＩＰアドレスと称する）と「ＧＴＰ−Ｕ  ＴＥＩＤ」（以下、「ＭＥＣ  ＧＴＰ−Ｕ  ＴＥＩＤ」と称する）とＴＣＰ／ＵＤＰ送信元ポート番号（以下、ＭＥＣＴＣＰ／ＵＤＰ送信元ポート番号と称する）とに基づいて、基地局３とコア設備５の間で伝送される通信データからＭＥＣサーバ２０に転送する通信データを抽出してＭＥＣサーバ２０へ転送する設定を行う。この通信データの転送において、パケットフィルタリング装置４は、基地局３とコア設備５の間で伝送される通信データから、「ＭＥＣ  ＧＴＰ−Ｕ  ＴＥＩＤ」で識別される通信データを抽出する。次いで、パケットフィルタリング装置４は、当該抽出した通信データから、宛先アドレスがＭＥＣ端末ＩＰアドレスであり且つＴＣＰ／ＵＤＰ送信元ポート番号がＭＥＣＴＣＰ／ＵＤＰ送信元ポート番号であるＩＰパケットを抽出する。次いで、パケットフィルタリング装置４は、当該抽出したＩＰパケットをＭＥＣサーバ２０へ転送する。
【００４７】
（ステップＳ８）  ＭＥＣサーバ２０の通信部２３は、上記ステップＳ３，Ｓ４，Ｓ５で各々受信して記録した端末ＩＰアドレス（ＭＥＣ端末ＩＰアドレス）と「ＧＴＰ−Ｕ  ＴＥＩＤ」（「ＭＥＣ  ＧＴＰ−Ｕ  ＴＥＩＤ」）とＴＣＰ／ＵＤＰ送信元ポート番号（ＭＥＣＴＣＰ／ＵＤＰ送信元ポート番号）とを使用して、ＧＴＰによりコア設備５を介して、インターネット１００を利用する通信を行う。具体的には、通信部２３は、ＭＥＣ端末ＩＰアドレスを送信元アドレスに使用したＩＰ通信のＩＰパケットを、「ＭＥＣ  ＧＴＰ−Ｕ  ＴＥＩＤ」を使用したＧＴＰ−Ｕ通信によって、自ＭＥＣサーバ２０とコア設備５との間で転送する。コア設備５は、当該ＧＴＰ−Ｕ通信によってＭＥＣサーバ２０との間で転送されるインターネット１００向けのＭＥＣサーバ２０のＩＰ通信のＩＰパケットを、インターネット１００に中継する。これにより、ＭＥＣサーバ２０は、コア設備５を介して、インターネット１００を利用する通信を行うことができる。
【００４８】
上述した第１実施形態によれば、無線通信システム１の内部のＭＥＣサーバ２０が当該無線通信システム１の外部のインターネット１００を利用する通信を行うことを、当該ＭＥＣサーバ２０と当該インターネット１００との間に専用回線を設けることなく実現することができる。これにより、ＭＥＣサーバ２０とインターネット１００との間に専用回線を設けることによるコストアップや運用形態の複雑化等の新たな問題の発生を回避することができる。
【００４９】
また、ＭＥＣサーバ２０がインターネット１００を利用する通信を行うことができることによって、無線通信システム１の外部からＭＥＣサーバ２０にアクセスすることができるので、ＭＥＣサーバ２０の運用や保守等の作業を無線通信システム１の外部から遠隔で実施することができる。これは、ＭＥＣサーバ２０に対する利便性の向上に寄与するという効果を奏する。
【００５０】
なお、仮想ＵＥ３０のポート番号管理部３２は、アドレス取得部３１がコア設備５から取得した端末ＩＰアドレスが使用されるＩＰ通信において、アドレス取得部３１が使用するＴＣＰ／ＵＤＰ送信元ポート番号とＭＥＣサーバ２０が使用するＴＣＰ／ＵＤＰ送信元ポート番号とを異なるものとして各ＴＣＰ／ＵＤＰ送信元ポート番号を割り当ててもよい。これら割り当てられた各ＴＣＰ／ＵＤＰ送信元ポート番号は、インターネット１００を利用する通信において利用することができるものである。この場合、ポート番号管理部３２は、アドレス取得部３１に割り当てたＴＣＰ／ＵＤＰ送信元ポート番号とＭＥＣサーバ２０に割り当てたＴＣＰ／ＵＤＰ送信元ポート番号とを記録する。ポート番号管理部３２は、アドレス取得部３１に割り当てたＴＣＰ／ＵＤＰ送信元ポート番号をアドレス取得部３１へ通知する。アドレス取得部３１は、当該ＴＣＰ／ＵＤＰ送信元ポート番号を記録する。アドレス取得部３１は、自己の端末ＩＰアドレス及びＴＣＰ／ＵＤＰ送信元ポート番号をパケットフィルタリング装置４へ通知する。
【００５１】
パケットフィルタリング装置４は、仮想ＵＥ３０から受信した端末ＩＰアドレス（これはＭＥＣ端末ＩＰアドレスと同じである）及びＴＣＰ／ＵＤＰ送信元ポート番号（以下、仮想ＵＥＴＣＰ／ＵＤＰ送信元ポート番号と称する）と、当該ＭＥＣ端末ＩＰアドレスに対応する「ＧＴＰ−Ｕ  ＴＥＩＤ」である「ＭＥＣ  ＧＴＰ−Ｕ  ＴＥＩＤ」とに基づいて、基地局３とコア設備５の間で伝送される通信データから仮想ＵＥ３０に転送する通信データを抽出して、仮想基地局４０を介して仮想ＵＥ３０へ転送する設定を行う。この通信データの転送において、パケットフィルタリング装置４は、基地局３とコア設備５の間で伝送される通信データから、「ＭＥＣ  ＧＴＰ−Ｕ  ＴＥＩＤ」で識別される通信データを抽出する。次いで、パケットフィルタリング装置４は、当該抽出した通信データから、宛先アドレスがＭＥＣ端末ＩＰアドレスであり且つＴＣＰ／ＵＤＰ送信元ポート番号が仮想ＵＥＴＣＰ／ＵＤＰ送信元ポート番号であるＩＰパケットを抽出する。次いで、パケットフィルタリング装置４は、当該抽出したＩＰパケットを、仮想基地局４０を介して仮想ＵＥ３０へ転送する。これにより、仮想ＵＥ３０は、コア設備５を介して、インターネット１００を利用する通信を行うことができる。
【００５２】
仮想ＵＥ３０がインターネット１００を利用する通信を行うことができることによって、無線通信システム１の外部から仮想ＵＥ３０にアクセスすることができるので、仮想ＵＥ３０の運用や保守等の作業を無線通信システム１の外部から遠隔で実施することができる。これは、仮想ＵＥ３０に対する利便性の向上に寄与するという効果を奏する。
【００５３】
また、仮想基地局４０について、仮想ＵＥ３０と同様に、仮想基地局４０用のＴＣＰ／ＵＤＰ送信元ポート番号を割り当てて、仮想基地局４０がインターネット１００を利用する通信を行うことができるようにしてもよい。これにより、仮想基地局４０の運用や保守等の作業を無線通信システム１の外部から遠隔で実施することができる。
【００５４】
［第２実施形態］
図６は、第２実施形態に係る無線通信システムの構成例を示すブロック図である。図６において、図１の各部に対応する部分には同一の符号を付け、その説明を省略する。図６に示される無線通信システム１ａでは、仮想ＵＥ３０は基地局３に接続される。仮想ＵＥ３０は、例えば既存のＵＥ２と同様に無線により基地局３に接続してもよい。又は、仮想ＵＥ３０は、基地局３に付設されてもよい。例えば、仮想ＵＥ３０は、基地局３とは独立した装置として基地局３に付設されてもよく、又は、基地局３の付属の機能として設けられてもよい。例えば、仮想ＵＥ３０は、基地局３と同じコンピュータハードウェア上に構成された仮想マシン（ＶＭ）を利用して実現されてもよい。
【００５５】
パケットフィルタリング装置４ａは、ＴＥＩＤ取得部４１ａを備える。ＴＥＩＤ取得部４１ａは、基地局３とコア設備５との間で伝送される通信データから、仮想ＵＥ３０のアドレス取得部３１がコア設備５から取得した端末アドレスに対応する「ＧＴＰ−Ｕ  ＴＥＩＤ」を取得する。
【００５６】
ＭＥＣサーバ２０は、図２と同様の構成である。仮想ＵＥ３０は、図３と同様の構成である。本実施形態において、仮想ＵＥ３０及びＴＥＩＤ取得部４１ａは、サーバ支援装置に対応する。
【００５７】
次に図７を参照して、第２実施形態に係る通信方法を説明する。図７は、第２実施形態に係る通信方法の手順の例を示すシーケンス図である。
【００５８】
（ステップＳ１１）  仮想ＵＥ３０は、基地局３に接続する。仮想ＵＥ３０のアドレス取得部３１は、基地局３を介して、コア設備５に対してＵＥ認証接続手順を実行することによりコア設備５から端末ＩＰアドレスを取得する。アドレス取得部３１は、当該端末ＩＰアドレスを記録する。仮想ＵＥ３０がＵＥ認証接続手順によりコア設備５から取得した端末ＩＰアドレスに対応する「ＧＴＰ−Ｕ  ＴＥＩＤ」は、コア設備５から基地局３へ通知される。
【００５９】
（ステップＳ１２）  仮想ＵＥ３０のアドレス取得部３１は、コア設備５から取得した端末ＩＰアドレスをＭＥＣサーバ２０へ通知する。ＭＥＣサーバ２０のアドレス受信部２１は、仮想ＵＥ３０から端末ＩＰアドレスを受信する。ＭＥＣサーバ２０において、アドレス受信部２１は、仮想ＵＥ３０から受信した端末ＩＰアドレスを通信部２３へ通知する。通信部２３は、アドレス受信部２１から受信した端末ＩＰアドレス（以下、ＭＥＣ端末ＩＰアドレスと称する）を記録する。
【００６０】
（ステップＳ１３）  ＭＥＣサーバ２０の通信部２３は、上記ステップＳ１２で受信して記録したＭＥＣ端末ＩＰアドレスをパケットフィルタリング装置４ａへ通知する。
【００６１】
（ステップＳ１４）  パケットフィルタリング装置４ａのＴＥＩＤ取得部４１ａは、ＭＥＣサーバ２０から受信したＭＥＣ端末ＩＰアドレスに基づいて、基地局３とコア設備５との間で伝送される通信データから、ＭＥＣ端末ＩＰアドレスに対応する「ＧＴＰ−Ｕ  ＴＥＩＤ」（以下、「ＭＥＣ  ＧＴＰ−Ｕ  ＴＥＩＤ」と称する）を取得する。具体的には、ＴＥＩＤ取得部４１ａは、基地局３とコア設備５との間で伝送されるＧＴＰ−Ｕ通信データから、送信元アドレス又は宛先アドレスがＭＥＣ端末ＩＰアドレスであるＩＰパケットを有するＧＴＰ−Ｕ通信データを検出する。ＴＥＩＤ取得部４１ａは、当該検出したＧＴＰ−Ｕ通信データに付されている「ＧＴＰ−Ｕ  ＴＥＩＤ」を、「ＭＥＣ  ＧＴＰ−Ｕ  ＴＥＩＤ」として取得する。
【００６２】
（ステップＳ１５）  パケットフィルタリング装置４ａのＴＥＩＤ取得部４１ａは、上記ステップＳ１４で取得した「ＭＥＣ  ＧＴＰ−Ｕ  ＴＥＩＤ」をＭＥＣサーバ２０へ通知する。ＭＥＣサーバ２０のＴＥＩＤ受信部２２は、パケットフィルタリング装置４ａから「ＭＥＣ  ＧＴＰ−Ｕ  ＴＥＩＤ」を受信する。ＭＥＣサーバ２０において、ＴＥＩＤ受信部２２は、パケットフィルタリング装置４ａから受信した「ＭＥＣ  ＧＴＰ−Ｕ  ＴＥＩＤ」を通信部２３へ通知する。通信部２３は、ＴＥＩＤ受信部２２から受信した「ＭＥＣ  ＧＴＰ−Ｕ  ＴＥＩＤ」を記録する。
【００６３】
（ステップＳ１６）  仮想ＵＥ３０のポート番号管理部３２は、アドレス取得部３１がコア設備５から取得した端末ＩＰアドレスが使用されるＩＰ通信においてＭＥＣサーバ２０が使用するＴＣＰ／ＵＤＰ送信元ポート番号（以下、ＭＥＣＴＣＰ／ＵＤＰ送信元ポート番号と称する）を割り当てる。この割り当てられたＭＥＣＴＣＰ／ＵＤＰ送信元ポート番号は、インターネット１００を利用する通信において利用することができるものである。ポート番号管理部３２は、ＭＥＣＴＣＰ／ＵＤＰ送信元ポート番号を記録する。ポート番号管理部３２は、ＭＥＣＴＣＰ／ＵＤＰ送信元ポート番号をＭＥＣサーバ２０へ通知する。ＭＥＣサーバ２０の通信部２３は、仮想ＵＥ３０から受信したＭＥＣＴＣＰ／ＵＤＰ送信元ポート番号を記録する。
【００６４】
（ステップＳ１７）  ＭＥＣサーバ２０の通信部２３は、自己に記録されたＭＥＣ端末ＩＰアドレスと「ＭＥＣ  ＧＴＰ−Ｕ  ＴＥＩＤ」とＭＥＣＴＣＰ／ＵＤＰ送信元ポート番号とをパケットフィルタリング装置４へ通知する。
【００６５】
（ステップＳ１８）  パケットフィルタリング装置４は、ＭＥＣサーバ２０から受信したＭＥＣ端末ＩＰアドレスと「ＭＥＣ  ＧＴＰ−Ｕ  ＴＥＩＤ」とＭＥＣＴＣＰ／ＵＤＰ送信元ポート番号とに基づいて、基地局３とコア設備５の間で伝送される通信データからＭＥＣサーバ２０に転送する通信データを抽出してＭＥＣサーバ２０へ転送する設定を行う。この通信データの転送において、パケットフィルタリング装置４は、基地局３とコア設備５の間で伝送される通信データから、「ＭＥＣ  ＧＴＰ−Ｕ  ＴＥＩＤ」で識別される通信データを抽出する。次いで、パケットフィルタリング装置４は、当該抽出した通信データから、宛先アドレスがＭＥＣ端末ＩＰアドレスであり且つＴＣＰ／ＵＤＰ送信元ポート番号がＭＥＣＴＣＰ／ＵＤＰ送信元ポート番号であるＩＰパケットを抽出する。次いで、パケットフィルタリング装置４は、当該抽出したＩＰパケットをＭＥＣサーバ２０へ転送する。
【００６６】
（ステップＳ１９）  ＭＥＣサーバ２０の通信部２３は、自己に記録されたＭＥＣ端末ＩＰアドレスと「ＭＥＣ  ＧＴＰ−Ｕ  ＴＥＩＤ」とＭＥＣＴＣＰ／ＵＤＰ送信元ポート番号とを使用して、ＧＴＰによりコア設備５を介して、インターネット１００を利用する通信を行う。具体的には、通信部２３は、ＭＥＣ端末ＩＰアドレスを送信元アドレスに使用したＩＰ通信のＩＰパケットを、「ＭＥＣ  ＧＴＰ−Ｕ  ＴＥＩＤ」を使用したＧＴＰ−Ｕ通信によって、自ＭＥＣサーバ２０とコア設備５との間で転送する。コア設備５は、当該ＧＴＰ−Ｕ通信によってＭＥＣサーバ２０との間で転送されるインターネット１００向けのＭＥＣサーバ２０のＩＰ通信のＩＰパケットを、インターネット１００に中継する。これにより、ＭＥＣサーバ２０は、コア設備５を介して、インターネット１００を利用する通信を行うことができる。
【００６７】
上述した第２実施形態によれば、無線通信システム１の内部のＭＥＣサーバ２０が当該無線通信システム１の外部のインターネット１００を利用する通信を行うことを、当該ＭＥＣサーバ２０と当該インターネット１００との間に専用回線を設けることなく実現することができる。これにより、ＭＥＣサーバ２０とインターネット１００との間に専用回線を設けることによるコストアップや運用形態の複雑化等の新たな問題の発生を回避することができる。
【００６８】
また、ＭＥＣサーバ２０がインターネット１００を利用する通信を行うことができることによって、無線通信システム１の外部からＭＥＣサーバ２０にアクセスすることができるので、ＭＥＣサーバ２０の運用や保守等の作業を無線通信システム１の外部から遠隔で実施することができる。これは、ＭＥＣサーバ２０に対する利便性の向上に寄与するという効果を奏する。
【００６９】
なお、上述した第１実施形態と同様に、仮想ＵＥ３０のポート番号管理部３２は、アドレス取得部３１がコア設備５から取得した端末ＩＰアドレスが使用されるＩＰ通信において、アドレス取得部３１が使用するＴＣＰ／ＵＤＰ送信元ポート番号とＭＥＣサーバ２０が使用するＴＣＰ／ＵＤＰ送信元ポート番号とを異なるものとして各ＴＣＰ／ＵＤＰ送信元ポート番号を割り当ててもよい。これにより、上述した第１実施形態と同様に、仮想ＵＥ３０は、コア設備５を介して、インターネット１００を利用する通信を行うことができる。また、仮想基地局４０について、仮想ＵＥ３０と同様に、仮想基地局４０用のＴＣＰ／ＵＤＰ送信元ポート番号を割り当てて、仮想基地局４０がインターネット１００を利用する通信を行うことができるようにしてもよい。
【００７０】
以上、本発明の実施形態について図面を参照して詳述してきたが、具体的な構成はこの実施形態に限られるものではなく、本発明の要旨を逸脱しない範囲の設計変更等も含まれる。
【００７１】
上述した各実施形態では、ＭＥＣサーバを例に挙げたが、無線通信システムの内部に設けられる各種のサーバに適用してもよい。
【００７２】
また、上述した各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００７３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７４】
１，１ａ…無線通信システム、３…基地局、４，４ａ…パケットフィルタリング装置、５…コア設備、１０…ＭＥＣシステム、２０…ＭＥＣサーバ、２１…アドレス受信部、２２…ＴＥＩＤ受信部、２３…通信部、３０…仮想ＵＥ（サーバ支援装置）、３１…アドレス取得部、３２…ポート番号管理部、４０…仮想基地局（サーバ支援装置）、４１…ＴＥＩＤ取得部４１ａ…ＴＥＩＤ取得部（サーバ支援装置）、１００…インターネット
【図１】
2020167602.tif 000003
【図２】
2020167602.tif 000004
【図３】
2020167602.tif 000005
【図４】
2020167602.tif 000006
【図５】
2020167602.tif 000007
【図６】
2020167602.tif 000008
【図７】
2020167602.tif 000009